(57)【特許請求の範囲】
【請求項１】
クリップ（４）と基部（６）とを含む収容部（２）を備えたカードおよび／または紙幣を保持するための保持具にして、
少なくとも１つのクリップ（４）に向かって上部で開口する収容部（２）の基部（６）は、上方に突出しかつ互いに離間して配置される第１の側方リッジ（１０）および第２の側方リッジ（１２）を備え、カードまたは紙幣が収容部（２）内に配置されない場合、少なくとも１つのクリップ（４）は、一部が第１の側方リッジ（１０）および第２の側方リッジ（１２）間に位置し、かつ自由端（３６）が少なくともほぼ基部（６）まで伸びる、保持具であって、
基部（６）は、カードまたは紙幣が収容部（２）内に配置されない場合、単数または複数のクリップ（４）の自由端（３６）が通過する切り抜き部（８）を含み、
第１の側方リッジ（１０）および第２の側方リッジ（１２）が、まさに平面でありかつ直線状であり、上端部は自由であり、
前記クリップ（４）が、第１の側方リッジ（１０）および第２の側方リッジ（１２）を接続する接続リッジ（１４）の上縁部に配置されていることを特徴とする、保持具。
【請求項２】
接続リッジ（１４）に配置される少なくとも２つのクリップ（４）を備えることを特徴とする、請求項１に記載の保持具。
【請求項３】
少なくとも１枚のカードまたは１枚の紙幣が収容部（２）内に配置される場合、少なくとも１つのクリップ（４）が引き上げられて付勢され、少なくとも１枚のカードおよび／または少なくとも１枚の紙幣が付勢力によって基部（６）に挟み込まれることを特徴とする、請求項１または２に記載の保持具。
【請求項４】
第１の側方リッジ（１０）および第２の側方リッジ（１２）が異なる高さを有し、第１の側方リッジ（１０）の高さ（２４）は第２の側方リッジ（１２）の高さ（２６）より高く、そのことにより紙幣および／またはカードは、第１の側方リッジ（１０）より低い高さ（２６）を有する第２の側方リッジ（１２）上に収容部（２）から突出することができることを特徴とする、請求項１から３のいずれか一項に記載の保持具。
【請求項５】
第１の側方リッジ（１０）および第２の側方リッジ（１２）が、接続リッジ（１４）によって互いに接合され、第１の側方リッジ（１０）、第２の側方リッジ（１２）および接続リッジ（１４）はほぼＵ字形に配置され、接続リッジ（１４）の反対側に位置する前端部（１６）で、カードを収容部（２）に挿入または収容部（２）から取り出すことができることを特徴とする、請求項１から４のいずれか一項に記載の保持具。
【請求項６】
少なくとも１つのクリップ（４）が、接続リッジ（１４）上に備えられ、および／または少なくとも１つのクリップ（４）が、少なくとも１つの湾曲領域（２８、２９）を介して接続リッジ（１４）に接合されることを特徴とする、請求項１から５のいずれか一項に記載の保持具。
【請求項７】
２つの湾曲領域（２８、２９）を備え、クリップ（４）に設けられるクリップ切り抜き部（３４）が、２つの湾曲領域（２８、２９）間に存在することを特徴とする、請求項６に記載の保持具。
【請求項８】
カードまたは紙幣が収容部（２）内に配置されない場合、少なくとも１つのクリップ（４）が、基部（６）に対して所定角度で傾斜することを特徴とする、請求項１から７のいずれか一項に記載の保持具。
【請求項９】
収容部（２）の長さ（５４）が、完全に収容部（２）内に挿入または配置されたカード（５０）が収容部（２）から所定の張り出し（５６）分突出するように規定されることを特徴とする、請求項１から８のいずれか一項に記載の保持具。
【請求項１０】
収容部（２）内に配置された単数または複数の紙幣（５２）が、所定の張り出し（５８）分、第１の側方リッジ（１０）より低い高さ（２６）を有する第２の側方リッジ（１２）上で収容部（２）から突出することを特徴とする、請求項４から９のいずれか一項に記載の保持具。
【請求項１１】
単一クリップ（４）または複数のクリップ（４）が、カード（５０）および／または紙幣（５２）を収容部（２）および／または収容部（２）の基部（６）に挟み込むのに使用できるように配置される、および／または設計されることを特徴とする、請求項１から１０のいずれか一項に記載の保持具。
【請求項１２】
切り抜き部（８）が、単数または複数のクリップ（４）の幅（６５）よりかなり広い幅（６１）を有することを特徴とする、請求項１から１１のいずれか一項に記載の保持具。
【請求項１３】
切り抜き部（８）が、第１の側方リッジ（１０）および第２の側方リッジ（１２）と前端部（１６）と接続リッジ（１４）との間の面積の少なくとも１／２の大きさであることを特徴とする、請求項５から１２のいずれか一項に記載の保持具。
【請求項１４】
基部は切り抜き部（８）が間に位置する側方底部（２２、２３）を備え、および／または、側方底部（２２、２３）は狭い構成であり、および／または、側方底部（２２、２３）は、第２の側方リッジ（１２）より高い高さ（２４）を有する第１の側方リッジ（１０）の幅より狭い幅を有することを特徴とする、請求項４から１３のいずれか一項に記載の保持具。
【請求項１５】
可撓性であるカバー（６８）を備え、前記カバー（６８）が、収容部（２）の接続要素（７２）または間隙または溝（７８）に、少なくとも１つの接続体（７０）またはタブ（７４）によって接続されることを特徴とする、請求項１から１４のいずれか一項に記載の保持具。
【請求項１６】
収容部（２）が、間隙または溝（７８）を含み、間隙または溝（７８）の中でタブ（７４）が固定されることを特徴とする、請求項１５に記載の保持具。
【請求項１７】
前記タブ（７４）が、間隙または溝（７８）の中で挟み込まれるまたは接着されることを特徴とする、請求項１６に記載の保持具。
【請求項１８】
選択的に、異なる構成のカバー（６８）を収容部（２）に接続することができることを特徴とする、請求項１５から１７のいずれか一項に記載の保持具。
【請求項１９】
単数または複数の各可撓性カバー（６８）が、挿入体（１０２）を使用して収容部（２）の溝（７８）内で固定されることを特徴とする、請求項１５から１８のいずれか一項に記載の保持具。
【発明の詳細な説明】
【技術分野】
【０００１】
本発明は、請求項に記載の特徴に従うカードおよび／または紙幣用保持具に関する。
【背景技術】
【０００２】
このような保持具は、米国特許第２００８／０１７８９７６（Ａ１）号明細書から周知であり、上部に向かって開口している収容部の基部は、上方に突出する側方タブであって、互いに離間して配置される側方タブを備える。カードは、上部に向かって開口している収容部内の上記側方タブ間に配置することができる。基部に取り付けられるクリップは、紙幣が基部の底部側に挟み込まれるように、収容部の底部側の領域に配置される。基部には、凹部が設けられていない。
【０００３】
さらに、米国特許第７，３３１，３６６（Ｂ１）号明細書からは、ケースとして設計され、貝殻状の上部と貝殻状の底部とを備える保持具が周知である。上部と底部は、ヒンジ部によって互いにヒンジ結合される。上部および底部はそれぞれ、カードおよび／または紙幣を固定するためのクリップを含む。
【０００４】
さらに、米国特許第５，７１８，３２９（Ａ）号明細書、米国特許第５，９３８，０１０（Ａ）号明細書、および国際公開第２００５／０５８０９０（Ａ１）号パンフレットから、当該タイプの保持具で、クリップが上部に向かって開口している収容部内ではなく、収容部基部の底部側に配置される保持具が周知である。
【０００５】
最後に、国際公開第２００７／１０８８００（Ａ１）号パンフレットから、収容部が上部と底部とから成る保持具が周知である。上部および底部は、貝殻状のデザインであり、互いに対応する溝とパネル、さらに接合用の孔とピンを含む側壁を備える。上部と底部との間にカードを収容する空洞があり、正面には、カードを内部空間に挿入するまたは内部空間から取り出すためのスロット状開口部が位置する。さらに、開口部の反対側に位置する収容部の背面壁の領域に第３の構成要素としてクリップが取り付けられ、クリップの自由端は、紙幣を、例えば、クリップと上部との間で挟み込むことができるように、底部表面の外側に弾性的に当接される。底部は、カードのための保持要素を備え、保持要素は内部空間へと突出する。上述の３つの構成要素から成る保持具の製造は、特に、３つの異なるデザインの成形工具および上部と底部とクリップとを接合するための追加の手段に関して、かなりの複雑さが求められる。
【先行技術文献】
【特許文献】
【０００６】
【特許文献１】米国特許第２００８／０１７８９７６号明細書
【特許文献２】米国特許第７３３１３６６号明細書
【特許文献３】米国特許第５７１８３２９号明細書
【特許文献４】米国特許第５９３８０１０号明細書
【特許文献５】国際公開第２００５／０５８０９０号
【特許文献６】国際公開第２００７／１０８８００号
【発明の概要】
【発明が解決しようとする課題】
【０００７】
以上のことから、本発明の目的は、製造が単純化されると同時に、カードおよび／または紙幣の機能的に適切な保管が可能になり、カードおよび／紙幣を容易に保持具から取り出すことができるように保持具を改良することである。
【課題を解決するための手段】
【０００８】
上述の目的は、請求項１に記載の特徴によって達成される。
【０００９】
本発明の保持具は、単純なデザインが特徴であり、カードおよび／または紙幣の機能的に適切な保管が可能であり、カードおよび／または紙幣の挿入および取り出しを容易に行うことが可能である。収容部は一体構造であり、クリップは収容部の一体部分であるのが好ましい。保持具は、ケースとして設計されるのが好ましく、クレジットカードまたはデビットカード（具体的には、通常いわゆるクレジットカードの形式）などのカード、さらに紙幣、文書、メモなどを保管するのに使用される。紙幣およびカードは共に、単数または複数のクリップによって収容部内に挟み込まれるが、カードを別々に保持するための追加の手段は必要でない。収容部はさらに、２つの互いに対向する側方リッジを備える。これらの側方リッジは基部から突出し、これらの側方リッジ間に単数または複数のカードを固定することができる。カードまたは紙幣が収容部内に無い場合、単数または複数のクリップは少なくともほぼ収容部の基部まで伸びる。基部は、紙幣またはカードが保持具内に無い場合に少なくとも１つのばね弾性クリップが通過する切り抜き部を含むのが好ましい。基部およびリッジの上の領域は障害物が無く、上部が無いので、クリップは少なくとも基部および／または基部の切り抜き部まで伸び、好ましくは、少なくとも一部は切り抜き部を通過する。一枚のカードおよび／または紙幣が挿入される際、ばね弾性クリップは引き上げられて付勢され、その後、付勢により、一枚のカードでも収容部内でしっかりと保持される、または挟み込まれる。切り抜き部の寸法は、２本の指もしくは親指で容易に単数または複数のカードを動かすのに十分大きさにあらかじめ規定されているので、容易に所望のカードに触れて、取り出すことができる。
【００１０】
さらに、切り抜き部は、単数または複数のクリップよりかなり広い幅を有し、より詳細には、使用者は、例えば、指を使って、クリップの少なくとも片側もしくは先端領域を介して切り抜き部に届くので、単数または複数のクリップによってカードに加えられる予負荷力を最小限に抑え、そのことで所望のカードを収容部から容易に取り出すことができる。上述した側方リッジは、有利には、異なる高さを有し、側方リッジ間の距離によって規定される大きさよりも大きい紙幣またはカード、例えば、名刺が、低い方の側方リッジより突出することができ、それでもしっかりと固定されるようにする。本発明の特定の実施形態では、さらにカバーが設けられる。カバーは上述の側方リッジの一方またはカバーの接続リッジに取り付けられ、必要に応じて、任意で交換されてもよい。収容部はさらに、カードおよび／または紙幣の挿入または取り出しを容易にするために少なくとも１つの切り込みを含む。
【００１１】
本発明の保持具の改良形態および特定の実施形態は、独立請求項および例示的な実施形態に関する以下の説明に記載されている。
【００１２】
本発明を図面に示されている特定の例示的な実施形態に基づいてより詳細に後述するが、これに関して本発明は制限されない。
【図面の簡単な説明】
【００１３】
【図１】保持具の斜視図である。
【図２】図１の保持具にカードおよび紙幣が保管された状態の図である。
【図３】図１の方向Ａから見た図である。
【図４】図２の方向Ａから見た図である。
【図５】図１の方向Ｂから見た保持具の上面図である。
【図６】図２の方向Ｂから見た保持具の上面図である。
【図７】図１の方向Ｃから見た保持具の図である。
【図８】図２の方向Ｃから見た保持具の図である。
【図９】カバーを備える特定の実施形態の斜視図である。
【図１０】カバーを備える特定の実施形態の斜視図である。
【図１１】カバーを備える特定の実施形態の斜視図である。
【図１２】カバーを備える特定の実施形態の収容部の図である。
【図１３】カバーを備える特定の実施形態の収容部の図である。
【図１４】カバーを備える特定の実施形態の収容部の図である。
【図１５】カバーを備える特定の実施形態の収容部の図である。
【図１６】カバーを備える特定の実施形態の収容部の図である。
【図１７】カバーの例示的な実施形態の図である。
【図１８】カバーの例示的な実施形態の図である。
【図１９】カバーが引き上げられた位置もしくは上に枢動された位置で示された保持具もしくはケースの図である。
【図２０】カードの束を含む保持具を下から見た図である。
【図２１】閉じた位置で示されるカバーを備える例示的な一実施形態を示した図である。
【図２２】閉じた位置で示されるカバーを備える例示的な一実施形態を示した図である。
【図２３】閉じた位置で示されるカバーを備える例示的な一実施形態を示した図である。
【図２４】閉じた位置で示されるカバーを備える例示的な一実施形態を示した図である。
【図２５】閉じた位置で示されるカバーを備える例示的な一実施形態を示した図である。
【図２６】金属製の収容部を作成するブランクの図である。
【図２７】交換可能なカバーを備える例示的な一実施形態を示した図である。
【図２８】２つのクリップを備える例示的な実施形態を示した図である。
【図２９】２つのクリップを備える例示的な実施形態を示した図である。
【発明を実施するための形態】
【００１４】
図１の保持具は、収容部２と、特に一体的に収容部２に接続されるクリップ４および／または単一クリップ４とを備える。保持具および／またはケースは、ＰＥＳまたはＰＳＵのようなばね弾性可塑材、および／または高い処理温度を有するプラスチック材料、および／または高温耐熱プラスチック材料で作られるのが好ましい。これらの材料は、塑性変形した時にクリープしにくい。使用されるプラスチック材料は、有利には、繊維、特に、炭素繊維で補強することができる。ＰＯＭ、ＡＢＳ、ＰＡ（ガラス繊維またはガラス球で満たされた）などの他のプラスチック材料が使用されてもよい。代替形態として、本発明の保持具は、十分にばね弾性のある金属製、例えば、特にステンレス鋼製としてもよい。この場合、クリップのばね弾性および全体的な安定性は、特に、クリップ４の厚さおよび収容部の厚さを所定の寸法にすることで事前に規定される。収容部２は、フレームのようなデザインであり、基部６（有利には、切り抜き部８が形成される）と、第１の側方リッジ１０と、その反対側に配置される第２の側方リッジ１２とを備え、第１の側方リッジ１０と第２の側方リッジ１２は接続リッジ１４によって接合される。しかし、接続リッジ１４の反対側にはリッジが設けられていないので、この端部（以降、前端部１６と呼ぶ）には、前底部１８のみが存在し、カードは前底部１８を横切って互いに対向する側方リッジ１０、１２間の収納部に挿入される。特定の代替形態では、前底部１８を省略してもよい。２つの側方リッジ１０、１２は、通常のクレジットカード、デビットカードなどの幅とほぼ同じ間隔だけ、有利には、それよりわずかに大きい間隔だけ互いに離間している。側方リッジ１０、１２および接続リッジ１４は、ほぼＵ字形状に伸びて、基部６に対して少なくともほぼ直角に配置される。
【００１５】
基部６および側方リッジ１２、１４の上に隙間があることで、クリップ４が少なくとも切り抜き部８まで伸びて、好ましくは、少なくとも一部が切り抜き部８を通過することができる。後述する２つのクリップを備える例示的な実施形態の場合、１つのクリップに関する以下の説明は、２つのクリップを備える例示的な実施形態にも同様に当てはまることは明白である。収容部内にカードまたは紙幣が無い時には、クリップ４は切り抜き部８を通過する。
【００１６】
切り抜き部８は、基部６の総面積のかなりの部分を占め、より詳細には、上述のリッジ１０、１２、１４および底部１８の外縁もしくは前縁２０によって事前に規定される基部６の総面積の２分の１よりかなり大きい。切り抜き部８（窓とも呼ばれる）は、使用者が２本の親指を揃えて通し連続してカードの束からカードを抜き出す、または保持具もしくはケースからカードを取り出すことができるサイズおよび／または範囲に事前に規定されるのが好ましい。このことにより、有利には、特に、横に押し出されたカードでも動かすことができ、再び保持具もしくはケースに容易に挿入および／または戻すことができるので、「正しいカード」を探しやすい。切り抜き部８が所定の大きいデザインであるので、１本の親指もしくは指のみを使ってカードを動かすことはできないが、２本の親指もしくは指を使って押すもしくは押圧する、および／または同時に引き抜くことができる。これは、特に一番上に所望のカードが見えて、取り出し側および／または前端部の下から抜き出されるまで行うことができる。
【００１７】
前縁２０は、好ましくは、丸みを帯びている、および／または曲線状であるので、カードを容易に挿入することができる。図面では、第１の側方リッジ１０が上方に突出する側方底部２２は、便宜上、有利には第１の側方リッジ１０の高さ２４よりも小さい幅を有する。第２の側方リッジ１２に結合する側方底部は、便宜上側方底部２２とほぼ同じ幅を有する。第２の側方リッジ１２の高さ２６は、以下でより詳細に説明するように、高さ２４より所定の大きさだけ低い。しかし、接続リッジ１４の領域には底部が無いのが好ましい。側方リッジ１０、１２を非対称なデザインにすることにより、有利には、側方リッジ間の距離で事前に規定される幅より大きい幅のカードを収容部内で保管することができる。
【００１８】
単一クリップ４は、便宜上湾曲領域２８、２９によって接続リッジ１４に接合され、この場合、クリップ４は、互いに離間して配置された２つのクリップ部３０、３２を有し、これらのクリップ部の間に切り抜き部３４が位置する。このことにより、最適なクリップ４のばね弾性および／または可撓性が得られる。接続リッジ１４はさらに、差し込まれるカードの限界停止部としての役割を果たす。クリップ４は、ほぼフラットであり、基部に対して上方に突出した先端３８を備えた自由端３６を有する。クリップ４は、クリップが切り抜き部８へと伸びて、全長のかなりの部分にわたって切り抜き部８を突き抜けて、基部６の底部側から突出するように設計され、および／または配置され、および／または接続リッジ１４に対する長さを有する。さらに明らかなように、カードまたは紙幣が保持具に挿入されていない場合には、クリップ４は基部６に対して所定の角度で傾斜する。本発明によれば、このことにより付勢力が決まる。１枚のカードのみが収容部２内に挿入される場合でも、クリップ８は切り抜き部８から矢印４０の方向に引き上げられ、この１枚のカードでも所定の付勢により収容部２内でしっかりと保持される。
【００１９】
付勢は、クリップのばね弾性によって、さらに、特に有利には、接続リッジ１４の領域には底部が無いので、クリップを介してカード（単数または複数）および紙幣にねじれ力を印加する接続リッジ１４によって決まる。クリップ４の圧力または力は、２つのクリップ部３０、３２の可撓性だけでなく、接続リッジ１４のねじれによって形成する。さらに、２つのクリップ部３０、３２は、最適な可撓性、ひいては矢印４０の反対方向の予負荷力および／または挟み力の印加に関与する。また、接続リッジ１４との接続領域におけるクリップ４および／またはクリップ部３０、３２の厚さ４２は、自由端３６の厚さ４４より厚い。したがって、クリップ４の厚さは、先端３６に向かって次第に薄くなる。したがって、クリップ４の先端３６領域の前方では、有利には、収容部２に挿入されるカードまたは紙幣を好適な領域で固定するために、好適な点に力が加えられる。クリップ４の壁の厚さが先端に向かって次第に薄くなることで、クリップ４の支持点は、積み重ねたカードの高さに応じて、より小さいレバーの方向に、および／または特に湾曲してもよい、湾曲領域（単数または複数）２８、２９および／またはクリップ４を接続リッジ１４ならびに／もしくは収容部に接続する領域に基づいて、より容易に大きくシフトする。側方リッジ１０、１２の前縁４６、４７は、距離４８の位置に配置され、前縁２０から接続リッジ１４の方向に引っ込んでいる。さらに、前縁４６、４２は丸みを帯びているので、カードをクリップ４と反対側から収容部２に挿入するのは、同様に丸みを帯びたクリップ４の先端３８の下で特に容易にすぐに行うことができる。
【００２０】
図２は、保持具と共に、収容部２に挿入されてクリップ４によって一緒に挟み込まれたカード５０および紙幣５２を示した図である。収容部２の長さ５４は、カード５０が収容部２から所定の張り出し５６分突出するように事前に規定されるので、必要な時に、容易に掴んで取り出すことができる。２つのリッジ１０、１２の高さが異なることにより、さらに紙幣５２または文書などは低い方の第２の接続リッジ１２の上縁に載って、同様に、収容部２から横に張り出し５８分突出することができる。高い方の側方リッジ１０は、好ましくは、基本的に１０枚のカードを容易に入れることができ、カード５０が低い方の側方リッジ１０に押し付けられないように設計される。低い方のリッジ１２は、有利には、カード、紙幣、または文書などが、その一部が重ねられた場合に、かさばらずに横に突出することができるように設計される。紙幣５２または文書など、および／またはカード５０の安全な保管は、側方リッジ１０、１２ひいては収容部２の非対称なデザインによって達成される。例示されている束の１枚または複数枚のカード５０を取り出すためには、使用者は、収容部２の底部側から基部６の切り抜き部８を通ってクリップ４の方向に、指を押す、好ましくは、２本の指または両方の親指を押すことによって、クリップ４によって加えられた保持力が最小になり、所望のカード５０を容易に押し出すことができる。そのためには、使用者は、収容部２を親指と小指で手に持って、例えば、図２では、単数または複数のカードを中指で切り抜き部を通ってわずかに押し上げる。言うまでもなく、使用者は、カードの束の一番下のカードまたは一番上のカードを押し出すだけでなく、真ん中のカードを押し出すこともできる。例えば、まず、中央の１枚または複数枚の隣接するカードをわずかに取り出して、所望のカードを完全に押し出す。また、紙幣などは十分に可撓性があるので、本発明に従って事前に規定されるクリップ４の付勢により１枚のカードでも保持具内で紙幣と一緒にしっかりと保持されることに留意されたい。
【００２１】
図３および図４は、方向Ａから見た図１の保持具の図であり、カード５０および紙幣５２が保持されている状態と保持されていない状態の図である。本発明によれば、第１の側方リッジ１０が第２の側方リッジ１２の高さ２６より高い高さ２４を有することから収容部２は非対称であるので、図４によれば、紙幣５２は第２の側方リッジ１２から張り出し５８分突出する。図３によれば、上述した基部６の切り抜き部により、クリップ４は少なくとも部分的に切り抜き部を通過し、底部側６０から先端３８だけ突出する。図４によれば、紙幣５２は、部分的に高い方の第１の側方リッジ１０に当接し、他方側では、低い方の第２の側方リッジ１２の上縁に載って、収容部２から張り出し５８分横に突出する。
【００２２】
側壁または側方リッジ１０、１２が非対称なデザインであることにより、カード、より詳細には、名刺は、クレジットカードに比べて１ｍｍまたは数ｍｍの所定量だけ幅が広いことが多いので突出する可能性がある。また、特に、製造の観点から半径無しで設計することは、基本的には不可能であるので、張り出しの対向角部および／または内側角部は非常に小さい半径を有することは特に有利である。角部および／または張り出しは、名刺のような幅の広いカードを収容できるようにすることが求められ、それによって、有利には、クレジットカードが簡単に落ちないようにクレジットカードのために厳しい公差が選択される。特に、名刺の隅が折れることはなく、クレジットカードより大きい名刺を突出させることができるので、保持具またはケースの幅の公差をより小さくすることができる。また、特に、本発明によれば、カードは、必要に応じて、保持具またはケースに、片側からだけでなく三方からも挿入できるのが好ましいことに留意されたい。
【００２３】
図５および図６は、方向Ｂから見た図１の保持具の図であり、クリップ４が部分的に突出する比較的大きい切り抜き部８は図５に見やすく示されている。図６には、カード５０およびカード５０の張り出し５６が見やすく示されており、同様に、クリップ４によって収容部２に挟まれる紙幣５２の張り出し５８も示されている。切り抜き部８は、クリップ４の幅６５よりもかなり広い幅６１を有し、特に、クリップ４の側面と側方底部２２、２３との間に自由間隙が存在するように広い幅６１を有する。さらに、図から明らかであるように、底部１８とクリップ４の前端部との間にも自由間隙が存在する。上述の間隙は、使用者の指を通すことができるように規定される。カードが収容部２内にある場合、使用者は指を上述の間隙の１つに入れて通し、カードの束の一番上のカードを押して、クリップ４の保持力または付勢力を最小限に抑えることで、所望のカードを収容部２からより簡単に押し出すことができる。したがって、使用者は、一番上のカードを抜き出すだけでなく、束から３枚目のカードを取り出すことも可能である。この場合、例えば、上の２枚のカードを真ん中まで押し出して、３枚目のカードを容易に押し出すことができる。
【００２４】
本発明によれば、保持具は、フレームのようなデザインであり、２つの狭い側方底部２２、２３と、好ましくは前底部１８と、後方接続リッジ１４によって互いに接合される２つの側方リッジ１０、１２とを備える。好ましくは長方形の切り抜き部８は、底部２２、２３の幅よりかなり広い幅６１を有する。切り抜き部８は、有利には、後方接続リッジ２４で終端するので、後方接続リッジ２４には底部が存在しない、および／または、フレーム状収容部２は、後方接続リッジ１４によって保持されている。後方接続リッジ１４は、２つの側方部１０、１２を接続し、２つの側方部１０、１２は、側方底部２２、２３に、好ましくは直角に、接合される。基部６に対して、フレーム状のデザインの収容部２は、可撓性クリップ４に向かって上部が開口し、クリップ４は上部から底部またはその切り抜き部４まで伸びる、または切り抜き部を通過する。
【００２５】
図５には、代替形態が破線で示されている。代替形態によれば、側方リッジ１０、１２の前縁４６、４７の領域にアンダーカット６２が設けられ、アンダーカットはカードを固定するための戻り止め要素を形成する。アンダーカット６２またはカード戻り止めは、カードが対向する戻り止め６２間を通って押し出されるように設計される。また、追加として、または代替として、前底部１８は、破線６６で示されるように省略されてもよい。収容部２、特に、アンダーカット６２として設計されたカード戻り止めを有する収容部２、特にその側方リッジ１０、１２が可撓性を有することにより、容易にカードを収容部２に押し込んで、収容部２から取り出すことができる。
【００２６】
図７および図８は、収容部２とクリップ４と切り抜き部８とを備える保持具を示しており、図７は、側方リッジ１２に結合する底部２３が側方リッジ１２に結合した状態を示しており、図８では、挿入されたカード５０および紙幣５２が再び示されている。本発明の保持具は、デザインが複雑でなく、カードおよび／または紙幣の保持しやすさに関する実用的要件および／または目的を満たすので、カードおよび／または紙幣の機能的に安全な収納および取り出しやすさが実現される。さらに、保持具は、有利には、低重量であり、および／または、材料使用量が少ない。収容部２の非対称なデザインおよび／または上述の異なる高さの側方リッジ１０、１２のデザインは、クリップ４でカードおよび紙幣などを一緒にしっかりと保持して、必要に応じて、保持具から取り出すために、特に重要である。
【００２７】
図９〜図１１は、本発明の特定の実施形態を示しており、これらの実施形態では、保持具および／またはケースはカバー６８を備える。カバー６８は、閉じた時に、少なくとも１つのクリップ４の上、任意で、挿入されたカードおよび／または紙幣の上の上部に位置する。可撓性カバー６８は、少なくとも１つの接続体７０を備え、それに対応して、収容部２は、特に第２の側方リッジ１２に少なくとも１つの接続要素７２を備える。図９および図１０によれば、２つの接続体７０および２つの接続要素７２が存在する。図から明らかなように、クリップ４は、カバー６８と収容部２間の接続が確立された後はカバー６８で覆われる。カバー６８は、少なくとも部分的に、柔らかい革、フェルト、毛皮、またはプラスチック材料のような可撓性材料製であり、必要に応じて、紙幣および／またはカードが使用者にとって触れやすくなるように枢動させて収容部またはクリップ４から移動させることができる。代替形態として、カバー６８は、本発明の範囲内の金属または硬質プラスチック材料のような実質的に変形不可能な材料製とすることができ、単数または複数の接続体７０は単数または複数のヒンジとして設計され、特に、単数または複数の接続体７０とカバーとの間に一体ヒンジが存在する。カバー６８は、単数または複数の接続体７０の反対側に、タブ７４を備え、それに対応して、収容部２は、第１の側方リッジ２に、より詳細には第１の側方リッジ２から離間して、間隙７８を空けて配置される、追加リッジ７６を備える。タブ７４は、間隙７８内に嵌め込むことができる。
【００２８】
適切な一改良形態では、図９に破線で示されるように、カバー６８は、底側または上側に小銭もしくはコインまたは他の小さいアイテム用のポケット７５を含むことができる。好ましくは、フラップ７７またはスナップもしくはファスナーのような別の閉鎖部材を備えることができる。
【００２９】
さらに別実施形態によれば、収容部は、挿入補助部として、挿入側および／または基部６および／または底部１８に破線で示された少なくとも１つの切り込み７９を備えることにより、単数または複数のカードを容易に挿入するまたは取り出すことが可能になる。図示されているように、角部および／または中央に少なくとも１つの挿入補助部または切り込み７９を備えることができるが、当然、当該切り込みの他の位置も本発明の範囲内である。
【００３０】
図１１の代替形態では、カバー６８は、タブ７４によって間隙７８に差し込まれて、間隙７８内で収容部２に固定され、例えば、挿入され、および／または挟み込まれ、および／または接着されてもよい。この実施形態では、永続的に接続するための接続体７０または接続体７２は設けられないが、閉じられた時にカバーを固定する。使用者が保持具またはケースからカードまたは紙幣を抜き出したい時には、単数または複数の接続要素７２から単数または複数の接続体７０を外して、カバー６８を枢動させて移動させることができるが、間隙７８内のタブ７４の接続は維持されることになる。別の特定の実施形態では、タブおよび／またはカバー６８は、追加リッジ７６を使用して挟み片の方法で収容部２に接続され、より詳細には、カバーを収容部に容易に接続して、必要に応じて、別のカバーと置換および／または交換できるようにしてもよい。
【００３１】
図１２および図１３は、収容部２が可撓性カバー６８のタブおよび／または側方部７４を収容するための上述の追加リッジ７６を含む例示的な実施形態を示している。図１２に十字線で示されているように、追加リッジ７６は収容部２の全高８０まで伸びないが、所定の部分８２にわたって伸びる。この部分８２は、全高８０の１／４〜１／２であり、少なくとも約３／８である。しかし、図１２に太線で示されているように、追加リッジ７６は、基本的には、好ましくは丸みを帯びた角領域８４、８５では収容部２の全高８０まで伸びる。したがって、リッジ１０および追加リッジ７６は、溝７８の幅に対応する距離８６を有する二重壁を形成する。カバー６８は、特に作動しやすくするために特にカバーを掴まれやすくする張り出し９４を有する。
【００３２】
図１４〜図１６は、図１２および図１３に対応する例示的な実施形態を示している。この場合、挿入機構および／または追加リッジ７６と、可撓性および／または折り曲げ可能な材料製、特に革もしくはプラスチック材料製のカバーの接続部を収容するための間隙７８とが長い方の側面の境界および／または側方リッジ１０に設けられている。図から明らかなように、カバーは、「現金の側」を隠すように、便宜上収容部２の側面に取り付けられる。このように、製造するのが容易および／または単純であり、および／または製造コストが低く、多数のカードおよび／または任意で現金のような紙幣を本発明のケースに入れて持ち歩くことができる実施形態が形成される。代替形態として、挿入機構はさらに、接続リッジ１４に配置される、または接続リッジ１４と結合されてもよい。
【００３３】
図１７は、カバー６８を取り付けやすくするために、側方切り込み８８と接続部および／または接続体７０とを有するカバー６８を示している。接続部または接続体７０は、上述した間隙に差し込まれて、特に、接着剤によって取り付けられる。側方切り込みにより、機能的に確実な方法でカバーを収容部に容易に取り付けおよび／または接続することができる。切り込み８８は、隅の折れがめくれ上がらないように、材料の厚みに応じてまたは材料の厚みで縁部を嵌め込む、または縁部を囲んでもよい。切り込みは、有利には、縁部が覆われるようにカバーの縁部および／または接続体７０を嵌め込むために、ポケットとして設計される。この場合、可撓性カバー６８は、好ましくは、革、フェルト、ネオプレン、不織布、ゴム、多孔質ゴム、シリコン、または任意の類似の材料製とすることができ、縁部が覆われるように、特に、ポケットのような上述の切り込み８８によって嵌め込まれることに留意されたい。したがって、特に有利には、収容部に、特に収容部の間隙に取り付けられる側方フランクまたは接続部７０は、材料に変化が生じた時、例えば、革の寸法が変化して、接着点または他の接続手段付近で反れた時に、収容部の材料、特にプラスチック材料によって確実に取り囲まれるので、傷の無いおよび／または整った外観および／または機能的に確実な接続部が得られる。切り込み８８の凹部および／またはポケットおよび／または上述の間隙が存在することにより、カバー６８を単純にかつ容易に取り付けることができる。
【００３４】
さらに、カバー６８および／または接続部が上述の溝に差し込まれる時に、接着剤が、特に、より速くおよび／またはより容易に塗布されるように、溝の内壁からの距離を事前に規定することができる。カバー６８は、図２に関して説明した収容部の長さ５４より、所定の大きさだけ長い長さ９０を有する。カバー６８は、カバーを同様に枢動させるために掴みやすくする張り出し９４を有する。張り出し９４の長さ９２は、好ましくは、図２に関して説明した縁部の張り出し５６と少なくとも同じ長さであり、さらに有利には、張り出し５６より所定の値だけ長い。示されている寸法は、単なる一例であり、本発明の範囲内で異なる寸法で、特に、収容部の寸法に応じて、事前に規定されてもよい。
【００３５】
図１８は、張り出し９４の他に、または張り出し９４の代わりに、他端部にさらに張り出し９５を備えたカバー６８の特定の実施形態を示しており、接続体７０は長手方向側の一方に存在する。代替形態では、カバー６８を収容部の長手方向に動かせてめくる、または収容部から元に戻すことができるように、またはカードおよび／または紙幣を収容部内に保管することができるように、張り出し９５の代わりに接続体７０´が設けられてもよい。
【００３６】
図１９は、カード５０および紙幣５２が挿入された収容部２を示しており、カバー６８はめくられて、カード５０および紙幣５２から枢動されて離される。カバー６８が枢動されて戻されると、クリップ４、紙幣５２、およびカードが覆われる。
【００３７】
図２０は、狭い底部１８，２２、２３と大きい切り抜き部８とを備えた基部を裏側から見た収容部２の図である。本発明に従って事前に規定される切り抜き部８のサイズにより、使用者は、カード５０．１および５０．２を１本の親指だけでなく両方の親指で動かす、もしくはスライドさせる、または押すおよび／または同時に引き出すことができる。使用者は、束の中の所望のカードを見つけるまでこの動作を行い、その後、保持具の収容部から完全に所望のカードを引き出すおよび／または引き抜くことができる。
【００３８】
図２１は、空の保持具またはケースを示しており、図２２は、カード５０および紙幣５２が収容部２に挿入されている状態を示している。カバー６８は、いずれの場合も、ケースの閉じた位置にあり、張り出し９４、９５が見やすい状態である。カード５０および紙幣５２を収容部２内で保持するクリップ４は、カバー６８の真下に位置する。すでに上述したように、収容部２は、基部および／または底部１８の挿入側への挿入補助部として少なくとも１つの切り込みを有する。
【００３９】
図２３〜図２５は、カード５０が収容部２に挿入され、カバー６８が閉じられた状態の保持具またはケースの斜視図である。
【００４０】
図２６は、金属製の収容部の特定の一実施形態の収容部２´の種々の構成要素を曲げる前のブランクを示している。破線は、種々の構成要素、例えば、クリップ４、側方リッジもしくは側壁１０、１２、および接続リッジもしくは接続壁１４の曲げ領域を示す。基部６の切り抜き部８も見やすく示されている。側方リッジ１０、１２は、終端部９６を含むのが好ましく、図１に従って上に曲げた後に、接続することができる。側方リッジ１０には追加リッジ部９８があり、リッジ部９８は、カバー６８の接続体を収容するための溝もしくは間隙７８´（図１２または図１５に関して上述した）が形成されるように曲げられる。好適な代替形態では、カバーの接続体は、特に、リッジ部９８を曲げることで、差し込まれる、または好ましくは挟まれる。
【００４１】
特定の改良形態では、クリップ４は、底側に凹部１００を有し、クリップ４が曲げられた後に、凹部１００を有する上記底側が紙幣もしくはカードに面する、または紙幣もしくはカードが上記底側に当接する。紙幣またはカードを保護するために、凹部１００に、フェルト製または金属より柔らかい別の材料製の裏当てを備えることができる。また、追加として、または、代替として、カードまたは紙幣が損傷しないように、底側および／または凹部１００に、便宜上柔らかいフロックでフロック加工された塗装が施されてもよい。
【００４２】
図２７は、一部が図示された可撓性カバー６８をタブ７４に接続する特定の実施形態を示している。第２の側方リッジ１２は、挿入体１０２を使用してカバー６８とタブ７４とが挿入されるアンダーカット溝７８を含む。挿入体１０２は、好ましくは、ウェッジとして設計されるので、有利には、革製であるのが好ましい交換可能なカバーとの公差範囲を容易に大きな値に事前に規定することができる。挿入体１０２は、有利に設けられたハンドルもしくは被覆体１０４から、先端１０６に向かって円錐状に先細になったデザインを有し、ほぼ半径方向に突出するピン１０８を含む。カバー６８もしくはカバー６８の側方部７４は、上述のピン１０８に結合する孔１１０を含む。矢印１１２で示されるように、挿入体１０２はピンと孔１１０とを使用してカバーに接合されて、矢印１１４に従って、収容部２に接続するためにアンダーカット溝７８に押し込まれる。代替形態として、挿入体１０２にはスロットが形成され、タブ７４をスロット内で挟み込んでもよい。追加として、および／または代替として、溝７８は、挿入体２を挿入しやすくすることを可能にするために、前底部１８から後方接続リッジ１４の方向に先細になるように、および／または狭くなるようにさらに設計されてもよく、この場合、挟み力が後方で最大になる、および／または、基本的に、挿入体２が溝７８に完全に挿入された場合になる。溝の前方開口部は、有利には、ハンドルまたは被覆体１１４によって覆われ、ハンドルまたは被覆体１１４の輪郭は側方リッジ１２の輪郭と一致する。また、挿入体１０２およびアンダーカット溝７８は、好ましくは、カバー７８またはカバー７８の側方部７４が完全に挿入された後に機能的に確実に固定できるように、互いに結合するおよび／または係合可能な戻り止め要素を備える。
【００４３】
図２８および図２９は、本発明の２つの特定の例示的な実施形態の保持具を示しており、それぞれ、収容部の接続リッジ１４に配置された２つのクリップ４を備え、接続リッジ１４は、上述した例示的な実施形態の接続リッジより長いが、その他のすべての点に関しては、構造は同じである。収容部２は、切り抜き部８を有する基部を備えるが、本発明の範囲内で、省略することも可能である。図２８に示されている例示的な実施形態では、比較的短い側方リッジ１０は、カバー（図示せず）を固定するための溝７８を含む。収容部２の基部は、カードを挿入しやすくする、または取り出しやすくするために、挿入領域に切り込み７９を有する。図２９の例示的な実施形態には、カバーを接続リッジ１４に固定するための溝７８が設けられている。本発明の範囲内で、図２８および図２９の例示的な実施形態では、カバーを固定および／または接続するために、図９〜図１１に示されている接続体または接続要素を設けてもよい。さらに、カバーは、挿入された紙幣および／またはカードが図１７および図１８に基づいて具体的に説明したカバーの張り出しによって覆われるように、上述した他の例示的な実施形態と同様に設計されるのが有利であることに留意されたい。
【００４４】
図面に基づいて説明する例示的な実施形態は、上記説明および図面に示され開示されている特徴を含む。本発明によれば、上述したおよび／または図面から明らかな個々の特徴それぞれを、有利な方法でおよび／または特定の要求に応じて、単独で備えてもよい、および／または他の個々の特徴の１つと組み合わせてもよいことは明らかである。基本的な目的を達成するのに適した上述および／または図示されている個々の特徴の組合せそれぞれが、本発明の対象となる。
【符号の説明】
【００４５】
２  収容部
４  クリップ
６  基部
８  切り抜き部
１０  第１の側方リッジ
１２  第２の側方リッジ
１４  後方接続リッジ
１６  前端部
１８  前底部
２０  １８の前縁
２２、２３  側方底部
２４  １０の高さ
２６  １２の高さ
２８、２９  湾曲領域
３０、３２  クリップ部
３４  ３０と３２との間の切り抜き部
３６  ４の自由端
３８  ４の湾曲先端
４０  矢印
４２  接続領域における４の厚さ
４４  ３６における４の厚さ
４６  １０の前縁
４７  １２の前縁
４８  距離
５０  カード
５２  メモ／紙幣
５４  ２の長さ
５６  ５０の張り出し
５８  ５２の張り出し
６０  ６の底側
６１  ８の幅
６２  アンダーカット／戻り止め要素
６５  ４の幅
６６  破線
６８  カバー
７０  接続体
７２  ２の接続要素
７４  タブ／側方部
７５  ポケット
７６  ２の追加リッジ
７７  フラップ
７８  間隙／溝
７９  １８の切り込み
８０  ２の全高
８２  ８０の一部／７６の高さ
８４、８５  角領域
８６  ７８の距離／幅
８８  ６８の切り込み／ポケット
９０  ６８の長さ
９２  ９４の大きさ
９４、９５  ６８の張り出し
９６  破線
９８  リッジ部
１００  ４の凹部
１０２  挿入体
１０４  ハンドル／被覆体
１０６  １０２の先端
１０８  １０２のピン
１１０、１１２  矢印
【図１】
0005944007.tif 000002
【図２】
0005944007.tif 000003
【図３】
0005944007.tif 000004
【図４】
0005944007.tif 000005
【図５】
0005944007.tif 000006
【図６】
0005944007.tif 000007
【図７】
0005944007.tif 000008
【図８】
0005944007.tif 000009
【図９】
0005944007.tif 000010
【図１０】
0005944007.tif 000011
【図１１】
0005944007.tif 000012
【図１２】
0005944007.tif 000013
【図１３】
0005944007.tif 000014
【図１４】
0005944007.tif 000015
【図１５】
0005944007.tif 000016
【図１６】
0005944007.tif 000017
【図１７】
0005944007.tif 000018
【図１８】
0005944007.tif 000019
【図１９】
0005944007.tif 000020
【図２０】
0005944007.tif 000021
【図２１】
0005944007.tif 000022
【図２２】
0005944007.tif 000023
【図２３】
0005944007.tif 000024
【図２４】
0005944007.tif 000025
【図２５】
0005944007.tif 000026
【図２６】
0005944007.tif 000027
【図２７】
0005944007.tif 000028
【図２８】
0005944007.tif 000029
【図２９】
0005944007.tif 000030